(57)【要約】【課題】蓄光物質を含んだ有用な光制御部材を提供する。【解決手段】光制御部材１０は、第１方向ｄ１に配列され且つ各々が第１方向ｄ１と非平行な第２方向ｄ２に延びている複数の透明な第１部分２０と、第１部分２０と第１方向ｄ１に交互に配列され且つ蓄光物質２７を含む複数の第２部分２５と、を備える。【選択図】図１
2014228557.tif 000002
【特許請求の範囲】
【請求項１】
第１方向に配列され、且つ、各々が前記第１方向と非平行な第２方向に延びている、複数の第１部分と、
前記第１部分と前記第１方向に交互に配列され且つ蓄光物質を含む複数の第２部分と、を備える、光制御部材。
【請求項２】
前記第２部分が、特定波長域の光を吸収する機能を有する、請求項１に記載の光制御部材。
【請求項３】
前記第２部分が、第１部分とは異なる屈折率の材料を含む、請求項１または２に記載の光制御部材。
【請求項４】
窓材と、
前記窓材に張り付けられたシート状の光制御部材と、を備え、
前記光制御部材は、
前記光制御部材のシート面に沿った第１方向に配列され、且つ、各々が、前記第１方向と非平行であるとともに前記光制御部材のシート面に沿った第２方向に延びている、複数の第１部分と、
前記第１部分と前記第１方向に交互に配列され且つ蓄光物質を含む複数の第２部分と、を有する、窓具。
【発明の詳細な説明】
【技術分野】
【０００１】
本発明は、蓄光物質を含んだ光制御部材に関する。
【背景技術】
【０００２】
特許文献１に開示されているように、蓄光物質及び蓄光物質を含有した、シート状に広がる部材が、知られている。蓄光物質は、太陽光や電灯からの光の光エネルギーを蓄積し且つ蓄積した光エネルギーを外部に放出して発光する性質を有している。蓄光物質は、夜間や暗闇において特定の場所や物の位置、例えば階段の踏み板の位置を示すための表示物として用いられてきた。
【先行技術文献】
【特許文献】
【０００３】
【特許文献１】特開２０００−２１３１３５号公報
【発明の概要】
【発明が解決しようとする課題】
【０００４】
しかしながら、蓄光物質を含有した従来品は、その全面に、高価な蓄光物質を含んでいる。このため、従来の蓄光物質を含有したシート状に広がる部材は、比較的に高価となり、とりわけ、大面積のシートや部材への適用は実際上難しい。また、従来の蓄光物質を含有した部材は、専ら蓄光物質の性質を利用して面状に発光するだけであり、その他の作用効果を積極的に奏することはなかった。さらに、昼間等の明るい状態において、従来の蓄光物質を含有したシートや部材は、当該シート状に広がる部材が配置された周囲の領域と調和しておらず、周囲の領域の意匠性を低下させることもある。
【０００５】
本発明は、以上の点を考慮してなされたものであり、蓄光物質を含んだ有用な光制御部材を提供することを目的とする。
【課題を解決するための手段】
【０００６】
本発明による光制御部材は、
第１方向に配列され、且つ、各々が前記第１方向と非平行な第２方向に延びている、複数の第１部分と、
前記第１部分と前記第１方向に交互に配列され且つ蓄光物質を含む複数の第２部分と、を備える。
【０００７】
本発明による光制御部材において、前記第２部分が、特定波長域の光を吸収する機能を有するようにしてもよい。
【０００８】
本発明による光制御部材において、前記第２部分が、第１部分とは異なる屈折率の材料を含むようにしてもよい。
【０００９】
本発明による窓具は、
窓材と、
前記窓材に張り付けられたシート状の光制御部材と、を備え、
前記光制御部材は、
前記光制御部材のシート面に沿った第１方向に配列され、且つ、各々が、前記第１方向と非平行であるとともに前記光制御部材のシート面に沿った第２方向に延びている、複数の第１部分と、
前記第１部分と前記第１方向に交互に配列され且つ蓄光物質を含む複数の第２部分と、を有する。
【発明の効果】
【００１０】
本発明による光制御部材では、第１部分と、蓄光物質を含む第２部分とが、第１方向に交互に配列されている。このため、本発明による光制御部材によれば、蓄光物資が全面に配置された従来品と比較して、種々の用途に応じて有用となる。
【図面の簡単な説明】
【００１１】
【図１】図１は、本発明の一実施の形態を説明するための図であって、光制御部材を示す斜視図である。
【図２】図２は、図１に示された光制御部材の作用を説明するための図であって、窓材に貼り付けられた状態の光制御部材をその縦断面において示す図である。
【図３】図３は、図１の部分拡大図であって、光制御部材の作用を説明するための図である。
【図４】図４は、光制御部材の他の用途を説明するための図である。
【発明を実施するための形態】
【００１２】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００１３】
また、本明細書において、「シート」、「フィルム」、「板」の用語は、呼称の違いのみに基づいて、互いから区別されるものではない。例えば、「シート」はフィルムや板と呼ばれ得るような部材も含む概念である。
【００１４】
さらに、本明細書において用いる、形状や幾何学的条件並びにそれらの程度を特定する、例えば、「平行」、「直交」、「同一」等の用語については、厳密な意味に縛られることなく、同様の機能を期待し得る程度の範囲を含めて解釈することとする。
【００１５】
さらに、「シート面（フィルム面、板面）」とは、対象となるシート状（フィルム状、板状）の部材を全体的かつ大局的に見た場合において対象となるシート状（フィルム状部材、板状部材）の平面方向と一致する面のことを指す。
【００１６】
図１〜図３は、本発明による一実施の形態を説明するための図である。このうち図１は、光制御部材を示す斜視図であり、図２及び図３は、光制御部材の縦断面において光制御部材の光学機能を説明するための図である。
【００１７】
以下に説明する光制御部材１０は、粘着層または接着層からなる接合層５５を介して採光用の窓材５０に取り付けられて、窓材５０とともに採光具としての窓具５をなしている。典型的には、窓材５０は、建物の開口部に取り付けられ且つ太陽光を透過するガラス窓からなる。一方、光制御部材１０は、シート状に面方向の広がりを持つ部材として形成され、窓材５０に貼合されて所定の機能を発揮することを期待されている。あるいは、光制御部材１０は、一対の窓材５０の間に挟み込まれるように、窓材５０と貼り合わされていてもよい。すなわち、本実施の形態における光制御部材１０は、光制御シート、光制御フィルム或いは光制御板とも呼ばれ得る部材として形成されている。本実施の形態による光制御部材１０は、シート面に沿った分布を持つようにして蓄光物質を含んでおり、この結果、後述するように、シートの全面に蓄光物質を含有した従来品と比較して優れた作用効果を奏することが可能となっている。
【００１８】
具体的な構成として、図１に示すように、光制御部材１０は、そのシート面に沿った第１方向ｄ１に配列された多数の第１部分２０と、第１方向ｄ１に沿って第１部分２０と交互に配列された多数の第２部分２５と、を有している。第１部分２０及び第２部分２５は、光制御部材１０のシート面と平行で第１方向ｄ１と非平行な第２方向ｄ２に線状に延びている。図示された例において、第１部分２０及び第２部分２５は互いに隣接して第１方向ｄ１に交互に配列されている。また、第１方向ｄ１は第２方向ｄ２に直交している。第１部分２０及び第２部分２５は、それぞれ、直線状に延びている。
【００１９】
図１及び図２に示すように、本実施の形態における光制御部材１０は、第１部分２０及び第２部分２５を含む光制御層３８と、光制御層３８と積層された基材層３５と、を有している。なお、本実施の形態において、基材層３５は、後述する光制御層３８の製造方法に起因して設けられているが、特に必須の構成要素ではない。したがって、一例として、単なる透明または半透明な樹脂製フィルムから形成され得る。
【００２０】
一方、光制御層３８は、第１部分２０及び第２部分２５に加えて、第１部分２０及び第２部分２５を支持するシート状のベース部分（ランド部）３０をさらに有している。このベース部分３０は、第１部分２０と一体的に形成されており、第１部分２０とともに本体部３３を形成している。言い換えると、光制御部材１０の光制御層３８は、複数の溝３３ａを形成された本体部３３と、本体部３３の複数の溝３３ａ内にそれぞれ形成された第２部分２５と、を有している。そして、本体部３３のうちの隣り合う溝３３ａの間の部分が、第１部分２０を画成している。
【００２１】
また、光制御部材１０は、第１部分２０及び第２部分２５を支持するシート状のベース部分（ランド部）３０をさらに有している。このベース部分３０は、第１部分２０と一体的に形成されており、第１部分２０とともに本体部３３を形成している。言い換えると、光制御部材１０は、複数の溝３３ａを形成された本体部３３と、本体部３３の複数の溝３３ａ内にそれぞれ形成された第２部分２５と、を有している。そして、本体部３３のうちの隣り合う溝３３ａの間の部分が、第１部分２０を画成している。
【００２２】
例えば図２及び図３に示すように、光制御部材１０は、第１部分２０及び第２部分２５の配列方向となる第１方向ｄ１が上下に延びるように、さらに厳密には鉛直方向と平行になるように、窓材５０に積層される。そして、第２方向ｄ２が第１方向ｄ１に直交している本実施の形態では、第１部分２０及び第２部分２５の長手方向となる第２方向ｄ２は、水平方向と平行になっている。
【００２３】
図２には、光制御部材１０の主切断面として、第１部分２０及び第２部分２５の配列方向である第１方向ｄ１及び光制御部材１０のシート面への法線方向の両方に平行となる断面にて、光制御部材１０が、示されている。図２に示すように、第２部分２５は、光制御部材１０の基材層３５側とは反対側の面の一部をなす底面２５ａと、底面２５ａから延び出た第１側面２５ｂ及び第２側面２５ｃと、を含んでいる。図示された例において、第１方向ｄ１に沿った第１側面２５ｂ及び第２側面２５ｃの離間間隔は、光制御部材１０のシート面への法線方向に沿って底面２５ａから離間するにつれて、互いに接近していき、最終的に互いに接続している。また、第１側面２５ｂ及び第２側面２５ｃは平坦面として形成されている。結果として、図示された例では、第２部分２５は、その長手方向に直交する断面において三角形形状となっており、第１部分２０は、その長手方向に直交する断面において台形形状となっている。
【００２４】
図示された例において、第２部分２５は、第１方向ｄ１に沿って等間隔に配置されている。また、第２部分２５は、断面形状を変化させることなく、第２方向ｄ２に延びている。さらに、光制御部材１０に含まれる多数の第２部分２５は、互いに同一に構成されている。以上の第２部分２５の構成にともない、図示された例では、光制御部材１０に含まれる第１部分２０は、第１方向ｄ１に沿って等間隔に配置され、断面形状を変化させることなく第２方向ｄ２に延び、且つ、互いに同一に構成されている。
【００２５】
図５に示された断面での、第２部分２５の第２方向ｄ１に沿った配列ピッチは、一例として、１ｍｍ以下とすることができ、光制御部材１０のシート面への法線方向に沿った第２部分２５の高さｈは、１ｍｍ以下とすることができる。また、光制御部材１０のシート面への法線方向に沿った光制御部材１０の厚みは、３００μ以上２ｍｍ以下とすることができる。
【００２６】
なお、光制御部材１０のシート面に沿った第２部分２５の幅ｗに対する、光制御部材１０のシート面への法線方向に沿った第２部分２５の高さｈの比、すなわち、ｈ／ｗで表されるアスペクト比は、従来技術と比較して優れた後述の機能を十分に発揮し得る観点から、１以上であることが好ましく、２以上であることがさらに好ましい。また、このアスペクト比は、製造の安定性を考慮して、５０以下であることが好ましい。
【００２７】
ただし、以上の説明した第１部分２０及び第２部分２５の構成は、単なる例示であり、例えば後述する光制御部材１０の機能を考慮して適宜変更することが可能である。一例として、第２部分２５の第１側面２５ｂを折れ面や曲面として構成してもよいし、第２部分２５の断面形状を、台形形状等の種々の形状に変更することができる。また、光制御部材１０に含まれる多数の第１部分２０の間で、形状や配列が異なるようにしてもよいし、同様に、光制御部材１０に含まれる多数の第２部分２５の間で、形状や配列が異なるようにしてもよい。
【００２８】
次に、第１部分２０及び第２部分２５の材料について説明する。
【００２９】
まず、第１部分２０は透明に形成されている。本明細書において「透明」とは、可視光透過率が５０％以上となっていることを意味している。ただし、本実施の形態における第１部分２０の可視光透過率は、７０％以上となっていることが好ましく、９０％以上となっていることがより好ましい。
【００３０】
なお、本明細書における可視光透過率は、測定対象となる部位をなすようになる材料を東洋紡績製ＰＥＴフィルム（品番:コスモシャインＡ４３００、厚さ１００μｍ)の上に膜厚１μｍで成膜し、分光光度計（（株）島津製作所製「ＵＶ−２４５０」、ＪＩＳＫ０１１５準拠品）を用いて測定波長３８０ｎｍ〜７８０ｎｍの範囲内で測定したときの、各波長における透過率の平均値として特定される。同様に、後述する熱線透過率は、測定対象となる部位をなすようになる材料を東洋紡績製ＰＥＴフィルム（品番:コスモシャインＡ４３００、厚さ１００μｍ)の上に膜厚１μｍで成膜し、分光光度計（（株）島津製作所製「ＵＶ−２４５０」、ＪＩＳＫ０１１５準拠品）を用いて測定波長９００ｎｍ〜２５００ｎｍの範囲内で測定したときの、各波長における透過率の平均値として特定される。
【００３１】
また、本実施の形態において、ベース部分３０は第１部分２０と同一の材料を用いて第１部分２０と一体的に形成されている。第１部分２０及びベース部分３０をなす本体部３３に用いられる材料として、例えば、樹脂材料、とりわけ電離放射線の照射により硬化する電離放射線硬化性樹脂を用いることができる。電離放射線硬化性樹脂としては、紫外線硬化性樹脂、電子線硬化性樹脂、可視光線硬化性樹脂、近赤外線硬化性樹脂等が挙げられる。
【００３２】
次に、第２部分２５に用いられる材料について説明する。図２に示すように、第２部分２５は、バインダーとして機能する主部２６と、主部２６中に分散された蓄光物質２７と、を有している。本実施の形態において、蓄光物質２７は、第２部分２５にのみ含まれており、第１部分２０及びベース部分３０等の光制御部材１０のその他の部分には含まれていない。
【００３３】
ここで「蓄光物質」とは、燐光を発する物質である。すなわち、蓄光物質２７は、太陽光や電灯などの光エネルギーを吸収及び蓄積し、蓄光物質２７への光エネルギーの照射が終了した後においても、それまでに蓄積した光を放出して発光する性質を有している。したがって、光を吸収および蓄積した蓄光物質２７を含有した第２部分２５は、その後、暗闇において発光体として機能することができる。このような蓄光物質２７として、硫化カルシウム／ビスマス系蓄光物質、硫化カルシウム・ストロンチウム／ビスマス系蓄光物質、硫化亜鉛／銅系蓄光物質、硫化亜鉛・カドミウム／銅系蓄光物質、アルミン酸ストロンチウム系蓄光物質、硫化亜鉛／銅系蓄光物質、アルミン酸ストロンチウム系蓄光物質を例示することができる。
【００３４】
主部２６は、蓄光物質２７が可視光の吸収および放出を行うことができるよう、透明な材料から構成される。主部２６に用いられる材料として、例えば、樹脂材料、とりわけ電離放射線の照射により硬化する電離放射線硬化性樹脂を用いることができる。電離放射線硬化性樹脂としては、紫外線硬化性樹脂、電子線硬化性樹脂、可視光線硬化性樹脂、近赤外線硬化性樹脂等が挙げられる。
【００３５】
なお、詳しくは後述するように、光制御部材１０に対して燐光を発する機能以外の機能を付与する観点から、光制御部材１０は次のように構成されてもよい。まず、主部２６の屈折率が、第１部分２０をなす材料の屈折率と異なっていてもよい。この場合、第１部分２０と第２部分２５との界面が、屈折率差を有して光を反射する反射面として機能し、光制御部材１０が後述するように採光機能を発揮することができる。
【００３６】
また、第２部分２５が、主部２６及び蓄光物質２７とともに、所定の機能を発揮することを期待された機能性粒状物２８をさらに有するようにしてもよい。機能性粒状物２８としては、特定波長域の光、例えば可視光を吸収する機能を有した顔料や染料等の色素、可視光内のさらに特定波長域の光を吸収する機能を有した顔料や染料等の色素、熱線を吸収する機能を有した粒状物、紫外線を吸収する機能を有した粒状物を用いることができる。なお、本明細書において、「可視光」及び「熱線」とは、それぞれ、可視光または熱線として一般的に定義される波長領域の光をいう。具体的には、本明細書において、「可視光」は、波長が３８０ｎｍ〜７８０ｎｍの範囲内となる光とする。また、本明細書において、「熱線」は、可視光よりも長波長となる赤外光または赤外光線であって、具体的には、温度上昇に大きな影響を与え得る９００ｎｍ〜２５００ｎｍの範囲内となる光とする。
【００３７】
可視光を吸収する機能を有した粒状物としては、カーボンブラックやチタンブラック等の黒色顔料を例示することができる。このような色素を機能性粒状物２８として第２部分２５が含む場合、光制御部材１０が遮光機能を発揮することができる。可視光内のさらに特定波長域の光を吸収する機能を有した色素を機能性粒状物２８として第２部分２５が含む場合、光制御部材１０が第２部分２５に起因して色味を有することになり、光制御部材１０自体の意匠性を向上させることができる。
【００３８】
熱線を吸収する機能を有した粒状物として、赤外光領域に吸収特性を有し且つ可視光領域に透過特性を有する粒状物を用いることができる。例えば、アンチモン錫酸化物（ＡＴＯ）、インジウム錫酸化物（ＩＴＯ）、六ホウ化ランタン（ＬａＢ６）、アルミニウムドープ酸化亜鉛、インジウムドープ酸化亜鉛、ガリウムドープ酸化亜鉛、酸化タングステン、六ホウ化セリウム、無水アンチモン酸亜鉛および硫化銅またはそれらの混合物のナノ粒子等を、熱線吸収性を有した機能性粒状物２８として、用いることができる。熱線吸収性を有した機能性粒状物２８を第２部分２５が含む場合、光制御部材１０が遮熱機能を発揮することができる。
【００３９】
その他の例として、第２部分２５が、蛍光物質を機能性粒状物２８として含んでいても良い。蛍光物質は、光を照射されると光を発する性質を有した物質である。したがって、蛍光物質からなる機能性粒状物２８は、蓄光物質２７で発光された燐光を受光して、光を放つようになる。第２部分２５が、蛍光物質からなる機能性粒状物２８を含む場合、光制御部材１０の光を発光する機能を補強することができる。また、蛍光物質からなる機能性粒状物２８が発光する光の波長域と、蓄光物質２７が発光する光の波長域とが異なる場合には、発光色の色味を調整することができ、光制御部材１０の発光時における意匠性を向上させることができる。
【００４０】
なお、以上のような構成からなる、シート状の光制御部材１０は次のようにして製造され得る。まず、第１部分２０及びベース部分３０をなす本体部３３を、例えば、電子線、紫外線等の電離放射線の照射により硬化する特徴を有したエポキシアクリレート等の樹脂材料を用いて、作製する。具体的には、本体部３３の溝３３ａの構成（配置、形状等）に対応した凸部を有した型ロール、言い換えると、第１部分２０の構成（配置、形状等）に対応した凹部を有した型ロールを準備する。当該型ロールとニップロールとの間に基材層３５をなすようになるシートを送り込み、該シートの送り込みに合わせて、樹脂材料を型ロールと基材層３５との間に供給する。その後、基材層３５上に供給された未硬化状態で液状の樹脂材料が型ロールの凹部に充填されるように、型ロールおよびニップロールで該光樹脂材料を押圧する。このとき、型ロールの凹部の深さより厚くなるように、すなわち、型ロールと基材層３５とが接触しないように、樹脂材料を基材層３５上に供給しておくことによって、上述したベース部分（ランド部）３０が、第１部分２０と一体的に樹脂材料から形成されるようになる。以上のようにして基材層３５と型ロールとの間に未硬化で液状の樹脂材料を充填した後、光を照射して該樹脂材料を硬化（固化）させることによって基材層３５上に本体部３３を形成することができる。
【００４１】
次に、硬化することによって主部２６をなすようになる樹脂材料と、蓄光物質２７及び機能性粒状物２８と、を含んだ未硬化で液状の組成物を用いて第２部分２５を作製する。硬化することによって主部２６をなすようになる樹脂材料として、電離放射線により硬化する特徴を有したウレタンアクリレート等の樹脂材料を用いることができる。まず、先に形成された本体部３３上に組成物を供給する。その後、隣り合う第１部分２０の間の形成された溝３３ａ、すなわち、型ロールの凸部に対応していた部分の内部に、ドクターブレードを用いながら、組成物を充填しつつ、該溝３３ａ外に溢出した余剰分の組成物を掻き落としていく。その後、第１部分２０の間の組成物に電離放射線を照射して硬化させることにより、第２部分２５が形成される。これにより、基材層３５、並びに、基材層３５上に設けられたベース部分３０と、ベース部分３０上に設けられた第１部分２０及び第２部分２５と、を有した光制御部材１０が作製される。
【００４２】
次に、以上に説明した本実施の形態の光制御部材１０及び窓具５の作用について説明する。
【００４３】
図２及び図３に示された例において、接合層５５を介して窓材５０に貼合された光制御部材１０は、透明な第１部分２０と、蓄光物質２７及び機能性粒状物２８を含んだ第２部分２５とを、鉛直方向に交互に含むようにして含んでいる。図３に示すように、太陽光が降り注ぐ日中において、光制御部材１０のシート面への法線方向に対して上下に大きく傾斜していない方向から窓具５に入射する光Ｌ３３は、第２部分２５に入射することなく透明な第１部分２０を透過することができる。このため、第２部分２５がどのような物資を含有しているかに依らず、室内に十分な量の太陽光を採光することができ、太陽光によって室内を照明することができる。また、室内にいる人は、透明な第１部分２０を通して、室内から室外を見ることができる。
【００４４】
一方、光制御部材１０のシート面への法線方向に対して上方に大きく傾斜した方向から窓具５に入射する太陽光Ｌ３１，Ｌ３２は、窓具５内において、第２部分２５内へ向かう。この際、少なくとも一部の光Ｌ３１は、第２部分２５の内部に入射して、当該光の光エネルギーが第２部分２５内の蓄光物質２７に吸収および蓄積される。第２部分２５の蓄光物質２７は、発光することにより、それまでに吸収した光エネルギーを放出していく。第２部分２５による発光は、太陽光の照射が終了した日没後も継続される。すなわち、第２部分２５は、日没後の暗闇にて燐光を発する。このような光制御部材１０の発光機能により、夜間等の暗闇においても、光制御部材１０が貼り付けられている位置を表示することができる。また本実施の形態のように、窓材５０に貼り付けられた光制御部材１０が夜間等の暗闇で発光することにより、室内の灯具を点灯した状態に維持することと同様に、外部の不審者に対し警戒心を抱かせることができる。
【００４５】
ところで上述したように、本実施の形態による光制御部材１０では、蓄光物質２７がシート状に形成された光制御部材１０の全面に含有されておらず、第２部分２５内のみに含まれている。この結果、蓄光物質が全領域に含まれている従来のシートや部材と比較して、次のような有用な作用効果を奏することができる。
【００４６】
まず、光制御部材１０を構成する材料のうち比較的に高価となる蓄光物質２７を、光制御部材１０の全面に練り込む必要がなく、第２部分２５内だけに含ませればよいので、光制御部材１０の製造コストを直接的に低減することができる。とりわけ、第２部分２５の第１方向ｄ１への配列ピッチを十分に小さくしておけば、光制御部材１０のうちのストライプ状に配置された第２部分２５だけが発光していることに気付き難くなり、製造コストの高い従来品と同様に、光制御部材１０の全面が発光しているように感知されるようになる。すなわち、同様の発光面積を確保しながら、製造原価を大幅に低下させることも可能となる。
【００４７】
また、本実施の形態においては、第１方向ｄ１に配列された多数の第２部分２５の各々は、シート状の光制御部材１０のシート面への法線方向への寸法を有している。典型的には、第２部分２５のアスペクト比が１より大きい場合、光制御部材１０の法線方向から当該光制御部材１０を観察するよりも、法線方向に対して第２方向ｄ２に方向に沿って傾斜した方向から光制御部材１０を観察した方が、観察され得る第２部分２５の総投影面積、言い換えると、発光面積は増大する。すなわち、光制御部材１０での発光強度は、光制御部材１０を観察する方向に依存して大きく変化する。図示された例では、観察方向が光制御部材１０の法線方向から傾斜するにつれて強い発光強度で観察されるようになる。このような観察角度に応じた発光態様の変化に起因して、第２部分２５の蓄光物質２７の発光による光制御部材１０の表示機能や注意喚起機能等は、著しく増強されることになる。
【００４８】
図２には、観察角度に応じて発光態様が変化することを利用した一具体例が、示されている。図２に示された例においては、室外の不審者Ｓ１，Ｓ２が、光制御部材１０が貼り付けられた窓具５を介して、室内の様子を探っている状態が示されている。このとき、光制御部材１０の第２部分２５が、蓄光物質２７の燐光現象によって発光しているとする。物陰に隠れた不審者Ｓ２は、光制御部材１０の法線方向から第１方向ｄ１に沿って大きく傾斜した傾斜方向から窓具５を覗こうとしている。しかしながら、不審者Ｓ２の観察方向からは、発光中の第２部分２５が窓具５のほぼ全面に観察されるようになる。このため、不審者Ｓ２の観察方向からは、光制御部材１０が全面で発光しているように観察され、結果として、この光制御部材１０が貼り付けられた窓具５を介して室内の様子を知ることはできない。
【００４９】
一方、図２に示された、不審者Ｓ１のように、光制御部材１０の法線方向から窓具５を観察すれば、光制御部材１０の透明な第１部分２０を通して、室内を観察することも可能となる。しかしながら、夜間は、街灯Ｌや月Ｍからの光によって、室外が室内よりも明るくなる傾向が生じる。すなわち、不審者Ｓ１は、そもそも第２部分２５が発光しているために光制御部材１０を介した視認性が低下することに加えて、より明るい室外からより暗い室内を観察することになるので、窓具５を介して室内の様子を確認することは難しくなっている。この不審Ｓ１に対して、室内を巡回中の警備員Ｇは、より暗い室内からより明るい室外を観察することになる。このため、警備員Ｇは、光制御部材１０の法線方向から窓具５越しに室内を覗いている不審者Ｓ２に気付かれることなく、当該不審者Ｓ２を監視することも可能となる。
【００５０】
以上のようにして、図２に示された一例において、蓄光物質２７を含有した第２部分２５を含む光制御部材１０は、観察角度に応じて発光態様が変化することを利用し、優れた防犯機能を発揮することができる。
【００５１】
また、本実施の形態における１０では、第２部分２５の主部２６が第１部分２０とは異なる屈折率の材料を用いて形成されていてもよく、また、第２部分２５の主部２６内に蓄光物質２７とともに機能性粒状物２８がさらに含有されていてもよい。このような光制御部材１０は、次に説明するように更なる作用効果を奏することができる。
【００５２】
まず、第２部分２５の主部２６をなす材料と、第１部分２０をなす材料が屈折率差を有している場合、図３に示すように、窓具５に入射して第２部分２５に向かう太陽光の一部Ｌ３２は、第１部分２０と第２部分２５との界面にて反射する。とりわけ、第２部分２５の主部２６が、第１部分２０よりも低い屈折率の材料を用いて形成されている場合には、入射角度にも依存するが、窓具５に入射して第２部分２５に向かう太陽光Ｌ３２は第１部分２０と第２部分２５との界面にて全反射する。そして、図３に示すように、第１部分２０と第２部分２５との界面で反射した太陽光Ｌ３２は、室内の上方の領域に跳ね上げられるようになる。この結果、光制御部材１０を介した採光は、窓材５０が設置された位置から離間した室内の奥側の領域まで太陽光Ｌ３２を導くことができる。すなわち、光制御部材１０は、優れた採光機能を発揮することができる。光制御部材１０が採光機能を十分に発揮することができれば、室内灯具の使用を抑制することができ、省エネルギー及びＣＯ２の削減を図ることができる。
【００５３】
次に、第２部分２５が、機能性粒状物２８を有する場合について説明する。機能性粒状物２８が可視光を吸収する機能を有している場合、図３の示すように、第２部分２５内に入射した太陽光Ｌ３１のうちの可視光の多くが、機能性粒状物２８の可視光吸収性に起因して、第２部分２５に吸収される。したがって、太陽からの可視光が、進行方向を変化させることなくそのまま室内に入射することを効果的に回避することができる。すなわち、防眩の観点から、室内への直達光を規制する遮光機能を発揮し、室内の人が眩しく感じることを防止することができる。また、機能性粒状物２８が熱線を吸収する機能を有している場合、図３の示すように、第２部分２５内に入射した太陽光Ｌ３１のうちの熱線の多くが、機能性粒状物２８の熱線吸収性に起因して、第２部分２５に吸収される。したがって、太陽からの熱線が室内に入射することを効果的に回避することができ、遮熱機能を発揮することができる。光制御部材１０が遮熱機能や遮光機能を十分に発揮することができれば、夏場の冷房使用量を抑制することができ、省エネルギー及びＣＯ２の削減を図ることができる。
【００５４】
以上のように本実施の形態による光制御部材１０によれば、第１部分２０と、蓄光物質２７を含む第２部分２５とが、第１方向ｄ１に交互に配列されている。このため、本実施の形態による光制御部材１０によれば、蓄光物資２７が全面に配置された従来品と比較して、種々の用途に応じて有用な機能を発揮することができる。蓄光物質２７を含有した光制御部材１０が有効に活用されることにより、灯具の使用量を抑制することができ、省エネルギー及びＣＯ２の削減を図ることができる。
【００５５】
なお、上述した実施の形態に対して様々な変更を加えることが可能である。例えば、上述した実施の形態において、光制御部材１０が窓材５０に貼り付けられる例を示したが、これに限られない。例えば、夜間や暗闇において発光することが好ましい種々の用途に、光制御部材１０を適用することができる。とりわけ、上述した光制御部材１０では第１部分２０が透明となっているので、第１部分２０越しに光制御部材１０が重ねられた部分が視認されるようになる。このため、蓄光物質が全面に含有された従来品と比較して、光制御部材１０が重ねられる部分との調和を確保しやすくなる。他の具体的な適用例として、光制御部材１０を、壁、階段、家具、輸送機械等に貼り付けることができる。このような用途例においても、調和が確保しやすい、光制御部材１０の製造原価を低減することができる、観察角度に応じて観察される発光態様が変化することに起因して優れた表示機能や注意喚起機能を発現し得るといった上述の実施の形態で説明した作用効果と同様の作用効果を得ることができる。
【００５６】
ここで、図４には、光制御部材１０が階段７０の踏み板７１に貼り付けられた例が示されている。図４に示された例では、昼間に踏み板７１の法線方向Ａａから踏み板７１を観察した場合、透明な第１部分２０を通して踏み板７１の模様、例えば木目模様を観察することができる。すなわち、光制御部材１０が階段７１に調和する。一方、夜間には、光制御部材１０の第２部分２５が発光して、踏み板７１の位置を示すことができる。とりわけ、図示された例では、第１部分２０及び第２部分２５の配列方向である第１方向ｄ１が踏み板７１の幅方向と平行に延びている。したがって、踏み板７１の幅方向中央に位置する観察者は、光制御部材１０の法線方向に概ね平行な方向Ａａから観察されるようになる光制御部材１０の幅方向中央位置での発光よりも、光制御部材１０の法線方向に対してより傾斜した方向Ａｂから観察されるようになる光制御部材１０の幅方向端部位置での発光をより明るく感知することになる。すわなち、光制御部材１０は、より明瞭に踏み板７１の範囲を示すことができる。
【００５７】
また、上述した実施の形態において、光制御部材１０の第２部分２５に含まれ得る機能性粒状物２８の一例を示したが、上述した機能性粒状物に代えて又は加えて、何らかの機能を発現する他の機能性粒状物、例えば紫外線吸収能を有する機能性粒状物が第２部分２５に含まれるようにしてもよいし、第２部分２５に機能性粒状物２８が全く含まれないようにしてもよい。
【００５８】
さらに、上述した実施の形態において、第１方向ｄ１が上下方向と平行になるようにして光制御部材１０が配置されている例を示したが、これに限られない。例えば、第１部分２０及び第２部分２５の配列方向となる第１方向ｄ１が水平方向と平行になるようにして、光制御部材１０が配置されるようにしてもよい。
【００５９】
さらに、光制御部材１０が、第１部分２０及び第２部分２５に加えて、種々の機能を期待された機能層をさらに有するようにしてもよい。例えば、光制御部材１０が、最も室内側となる層として、耐擦傷性を有したハードコート層をさらに有するようにしてもよい。
【００６０】
なお、以上において上述した実施の形態に対するいくつかの変形例を説明してきたが、当然に、複数の変形例を適宜組み合わせて適用することも可能である。
【符号の説明】
【００６１】
５     窓具
１０   光制御部材
２０   第１部分
２５   第２部分
２６   主部
２７   蓄光物質
２８   機能性粒状物
３０   ベース部分、ランド部
３３   本体部
３３ａ 溝
３５   基材層
３８   光制御層
５０   窓材
５５   接合層
【図１】
2014228557.tif 000003
【図２】
2014228557.tif 000004
【図３】
2014228557.tif 000005
【図４】
2014228557.tif 000006